【手続補正書】
【提出日】平成27年9月10日(2015.9.10)
【手続補正１】
【補正対象書類名】明細書
【補正対象項目名】０００６
【補正方法】変更
【補正の内容】
【０００６】
本発明に係る空気調和機の室内機は、吸込口および吹出口がそれぞれ形成され、室内の壁面に設置される本体と、前記吸込口から室内空気を吸い込んで、前記吹出口に至る風路を形成する送風機と、前記風路に設置され、冷凍サイクルの一部を実行する熱交換器と、前記吹出口に設置され、前記熱交換器において調和された空気である調和空気の吹き出し方向を調整する風向調整装置と、前記室内を撮像する撮像装置と、前記室内の温度を検出する検温装置と、前記撮像装置が撮像した人間の位置情報および前記検温装置が検出した人間の体温情報に基づいて前記冷凍サイクルおよび前記風向調整装置を制御する制御装置と、を有し、前記制御装置は、人間の顔が、予め定めた時間である顔認識時間の間、前記撮像装置の視野内の顔認識範囲にあるとき、当該人間の顔を認識すると共に、前記顔が認識された人間の体温が予め設定された標準温度範囲内の温度よりも高く、かつ、現在運転中の運転モードが暖房モードである場合、運転モードを冷房モードに切り替えると共に、調和空気の温度を現在運転中の調和空気の温度よりも低い温度に変更して、前記顔が認識された人間または前記顔が認識された人間が居る位置に向けて送風し、前記変更された調和空気の温度での調和空気の送風によって、前記顔が認識された人間の体温が前記標準温度範囲内の温度内になったとき、運転モードが冷房モードに切り替えられている場合は、前記切り替えられた運転モードを暖房モードに戻すと共に、前記変更された調和空気の温度を変更される前の調和空気の温度に戻す制御を実行することを特徴とする。
【手続補正２】
【補正対象書類名】特許請求の範囲
【補正対象項目名】全文
【補正方法】変更
【補正の内容】
【特許請求の範囲】
【請求項１】
吸込口および吹出口がそれぞれ形成され、室内の壁面に設置される本体と、前記吸込口から室内空気を吸い込んで、前記吹出口に至る風路を形成する送風機と、前記風路に設置され、冷凍サイクルの一部を実行する熱交換器と、前記吹出口に設置され、前記熱交換器において調和された空気である調和空気の吹き出し方向を調整する風向調整装置と、前記室内を撮像する撮像装置と、前記室内の温度を検出する検温装置と、前記撮像装置が撮像した人間の位置情報および前記検温装置が検出した人間の体温情報に基づいて前記冷凍サイクルおよび前記風向調整装置を制御する制御装置と、を有し、
前記制御装置は、人間の顔が、予め定めた時間である顔認識時間の間、前記撮像装置の視野内の顔認識範囲にあるとき、当該人間の顔を認識すると共に、前記顔が認識された人間の体温が予め設定された標準温度範囲内の温度よりも高く、かつ、現在運転中の運転モードが暖房モードである場合、運転モードを冷房モードに切り替えると共に、調和空気の温度を現在運転中の調和空気の温度よりも低い温度に変更して、前記顔が認識された人間または前記顔が認識された人間が居る位置に向けて送風し、
前記変更された調和空気の温度での調和空気の送風によって、前記顔が認識された人間の体温が前記標準温度範囲内の温度内になったとき、運転モードが冷房モードに切り替えられている場合は、前記切り替えられた運転モードを暖房モードに戻すと共に、前記変更された調和空気の温度を変更される前の調和空気の温度に戻す制御を実行することを特徴とする空気調和機の室内機。
【請求項２】
前記制御装置は、人間の顔が、予め定めた時間である顔認識時間の間、前記撮像装置の視野内の顔認識範囲にあるとき、当該人間の顔を認識する顔認識ステップと、
前記顔認識ステップに続き、前記顔が認識された人間の体温を前記検温装置に検出させ、前記検温装置が検出した体温が予め設定された標準温度範囲内の温度であるか否かを判断する体温判断ステップと、
前記体温判断ステップに続き、前記顔が認識された人間の体温が前記標準温度範囲の上限温度よりも高い温度で、かつ、現在運転中の運転モードが暖房モードである場合、運転モードを冷房モードに切り替えると共に、調和空気の温度を現在運転中の調和空気の温度よりも低い温度に変更し、または前記顔が認識された人間の体温が前記標準温度範囲の下限温度よりも低い温度である場合、調和空気の温度を現在運転中の調和空気の温度よりも高い温度に変更し、若しくは前記顔が認識された人間の体温が前記標準温度範囲内の温度である場合、調和空気の温度を現在運転中の調和空気の温度と同じ温度に維持する温度設定ステップと、
前記温度設定ステップに続き、前記変更された調和空気の温度または前記維持された調和空気の温度の調和空気を、前記顔が認識された人間に向けて、または前記顔が認識された際に前記人間が居た位置である至近位置に向けて、吹き出すように前記風向調整装置を制御する強力吹出ステップと、
前記強力吹出ステップに続き、前記顔が認識された人間の体温が、前記標準温度範囲内の温度になった場合、運転モードが切り替えられているときは、運転モードを切り替えられる前の暖房モードに戻し、または、運転モードが切り替えられていないときは、該運転モードを維持する運転モード戻しステップと、
該運転モード戻しステップに続き、前記変更された調和空気の温度を変更される前の調和空気の温度に戻す温度戻しステップと、
該温度戻しステップに続き、前記顔が認識された人間に向けて、または前記至近位置に向けて、変更される前の調和空気の温度の調和空気が送られるように前記風向調整装置を制御する標準吹出ステップと、
を実行することを特徴とする請求項１記載の空気調和機の室内機。
【請求項３】
前記制御装置は、前記強力吹出ステップに続き、前記顔が認識された人間が前記至近位置の外に移動した場合、前記顔が認識された人間を追跡して前記顔が認識された人間の位置を特定する追跡ステップと、
運転モードが切り替えられているときは、該運転モードを暖房モードに戻す追跡運転モード戻しステップと、
運転モードが切り替えられていないときは、該運転モードを維持し、前記特定された位置に向けて、前記変更された調和空気の温度または前記維持された調和空気の温度の調和空気が送られるように前記風向調整装置を制御する追跡強力吹出ステップと、
前記追跡強力吹出ステップに続き、前記顔が認識された人間の体温が前記標準温度範囲内の温度になった場合、又は前記追跡運転モード戻しステップに続き、前記変更された調和空気の温度を変更される前の調和空気の温度に戻す追跡温度戻しステップと、
該追跡温度戻しステップに続き、前記特定された位置に向けて、変更される前の調和空気の温度の調和空気が送られるように前記風向調整装置を制御する追跡標準吹出ステップと、
を実行することを特徴とする請求項２記載の空気調和機の室内機。
【請求項４】
前記制御装置は、吹き出された前記調和空気の方向が、前記顔が認識された人間または前記至近位置を含む予め定めた範囲内を往復して変動するように前記風向調整装置を制御し、前記調和空気の方向が、前記顔が認識された人間を除く範囲または前記至近位置を除く範囲であるときに、前記検温装置が検出した温度を、前記顔が認識された人間の体温とすることを特徴とする請求項１〜３の何れか一項に記載の空気調和機の室内機。
【請求項５】
報知装置を有し、前記制御装置は、人間が前記本体に近づいていると判断し、且つ、当該人間の顔を認識することができない場合、前記報知装置にその旨を報知させることを特徴とする請求項１〜４の何れか一項に記載の空気調和機の室内機。
【請求項６】
前記風向調整装置を制御している際、少なくとも当該制御を停止させる信号を発することができる遠隔操作装置を有することを特徴とする請求項１〜５の何れか一項に記載の空気調和機の室内機。